(57)【要約】      （修正有）【課題】船舶や航空機等のコンソールに据付しやすく、かつ、ねじやボルト等の固定金具が見えないようにしてデザイン性を高めた構成のコンソール据付用画像表示装置を提供する。【解決手段】コンソール据付用画像表示装置１は、枠体２と、枠体２の内側に配置される画像表示モジュール３と、画像表示モジュール３の表示画面３１を保護する透明パネル４と、透明パネル４の外周位置に配された所定形状の支持部２０と、支持部２０に取り付ける蓋部材５０を備え、支持部２０には貫通穴が所定間隔で形成されており、装置本体をコンソールの正面側から据えて、ねじやボルト等の固定金具を前記貫通穴に挿通させて装置本体をコンソールに固定する構成とされ、蓋部材５０を支持部２０に取付けると、蓋部材５０によって前記固定金具が覆われるとともに透明パネル４と蓋部材５０とが境目にて高低差なく配されることで、装置正面がフラットになって見える。【選択図】図１
0003202904.tif 000002
【実用新案登録請求の範囲】
【請求項１】
画像表示モジュールと、当該画像表示モジュールの外周位置に配された支持部と、蓋部材を備え、前記支持部には貫通穴が所定間隔で形成されており、装置本体をコンソールの正面側から据え、ねじやボルト等の固定金具を前記貫通穴に挿通させてコンソールに固定し、前記蓋部材を取付ける構成とされ、前記蓋部材によって前記固定金具が覆われるとともに前記蓋部材と装置本体の画像表示面とが境目にて高低差なく配されることを特徴とするコンソール据付用画像表示装置。
【請求項２】
前記画像表示モジュールの表示画面を保護する透明パネルを備え、前記透明パネルに装置本体の画像表示面があることを特徴とする請求項１記載のコンソール据付用画像表示装置。
【請求項３】
前記透明パネルを囲む枠体を備え、前記枠体によって構成された溝部に前記蓋部材が着脱自在に嵌め合わされることを特徴とする請求項２記載のコンソール据付用画像表示装置。
【請求項４】
前記蓋部材が装置本体の画像表示面の両側に平行配置されることを特徴とする請求項１から３のいずれか一項記載のコンソール据付用画像表示装置。
【請求項５】
前記支持部の底面に所定間隔で突起が形成されており且つこれら突起に前記蓋部材の背面が当接する構成、又は前記蓋部材の背面が前記支持部の底面に当接する構成であることを特徴とする請求項１から４のいずれか一項記載のコンソール据付用画像表示装置。
【請求項６】
前記蓋部材には複数の突出片が配されているとともに、前記支持部には前記蓋部材の突出片を狭持する狭持金具が所定間隔で配されており、これら狭持金具に前記蓋部材の突出片が狭持されることを特徴とする請求項１から５のいずれか一項記載のコンソール据付用画像表示装置。
【請求項７】
前記蓋部材が装置本体の画像表示面に対してフラットとなるように配されることを特徴とする請求項１から６のいずれか一項記載のコンソール据付用画像表示装置。
【請求項８】
前記透明パネルが光学透明接着剤を介して前記画像表示モジュールの表示画面に接着されていることを特徴とする請求項２または３項記載のコンソール据付用画像表示装置。
【請求項９】
船舶又は航空機のコンソールに据付されることを特徴とする請求項１から８のいずれか一項記載のコンソール据付用画像表示装置。
【考案の詳細な説明】
【技術分野】
【０００１】
本発明は、コンソール据付用画像表示装置に関する。
【背景技術】
【０００２】
液晶、有機エレクトロルミネッセンス、プラズマディスプレイ技術等の技術を用いた画像表示装置は、低消費電力で高精度の画像品位が得られることに加え、画面がフラットで薄型化が図れるという特徴があり、広範囲の分野に普及している。【０００３】
近年、液晶画像表示装置は、携帯情報端末、カーナビゲーション、パーソナルコンピュータ、テレビジョン受像機のみならず、船舶や航空機等のコンソールに搭載されており、その重要度がますます高くなっている。【０００４】
ここで、コンソールとは、操作盤、制御卓、キャビネット等とも呼称され、例えば、船舶や航空機等の航行の際に使用するレーダ情報、位置情報等を表示するものである。前記コンソールには、マルチファンクションディスプレイ対応となっているものもあり、例えば、チャートレーダー、電子海図表示装置(Electronic Chart Display and Information System ; ECDIS)、コニングディスプレイ（集中監視表示装置）、アラートマネジメントシステム、その他操作画面表示等の機能が備わっている。【０００５】
船舶用指示機の外観形状としては、特許文献１〜２が文献公知となっている。
【先行技術文献】
【特許文献】
【０００６】
【特許文献１】意匠登録第１２２３４４９号
【特許文献２】意匠登録第１２３７５０５号
【考案の概要】
【考案が解決しようとする課題】
【０００７】
図２２は、従来の画像表示装置２０１が据付けられたコンソールを例示する斜視図である。コンソール２０１は、船舶用指示機である。既知の船舶用指示機２０１は、ディスク型のコンソールとなっており、筐体２１１に画像表示装置１０１が据付けられている。画像表示装置は、枠体１０２と表示画面１０３とを備えている。画像表示装置１０１は、表示画面１０３の高さが枠体１０２の高さよりも若干低くなっている。【０００８】
図２３は、既知の船舶用指示機２０１における画像表示装置１０１の据付状態を示す要部断面図である。図２３は図２２のＣ−Ｃ線断面図となっている。既知の画像表示装置１０１を船舶用指示機２０１に据付ける方法は、筐体２１１の正面側に開けられている窓部の枠部分にゴム製パッキン２０６を敷いてから画像表示装置１０１を据える。そして、金属製の固定金具２０７を筐体２１１の背面側と画像表装置１０２の背面側とに架け渡して、固定ねじ２０８を固定金具２０７の貫通穴に通して、画像表示装置１０１の背面側に形成されたねじ穴に取付けて締め付け固定する。この据付方法は、船舶用指示機２０１の背面側に手を入れなければならず、固定金具２０７と固定ねじ２０８の取り付けに手間がかかる。図２３に示すように、固定金具２０７と固定ねじ２０８は重力により落下し易い状態となっており、また、筐体２１１の取り付け位置は奥の方にあるので、据付け作業が容易ではない。また、画像表示装置１０１の正面は、船舶用指示機２０１の筐体２１１の正面よりも若干突き出ている（図２２、図２３）。【０００９】
図２４は、従来の画像表示装置２０２が据付けられたコンソールを例示する斜視図である。コンソール２０２は、船舶用指示機である。図２５は、既知の船舶用指示機２０２における画像表示装置１１１の据付状態を示す要部断面図である。図２５は図２４のＣ−Ｃ線断面図となっている。既知の画像表示装置２０２を船舶用指示機２０２に据付ける方法は、筐体２２１の正面側に開けられている窓部の枠部分にゴム製パッキン２０６を敷いてから画像表示装置１１１を据える。そして、固定ねじ２０８を画像表示装置１１１の貫通穴に通して、筐体２２１の正面側に形成されたねじ穴に取付けて締め付け固定する。この据付方法は、船舶用指示機２０２の正面側でねじ固定するため、固定ねじ２０８の取り付けが容易であるが、その一方で、固定ねじ２０８が画像表示装置１１１から突き出ており、外観上好ましくない。また、固定ねじ２０８に手が引っ掛かることがある。画像表示装置１１１の正面は、船舶用指示機２０２の筐体２２１の正面よりも若干突き出ている（図２４、図２５）。【００１０】
船舶や航空機等のコンソールにおいては、画像表示装置を据付しやすく、かつ、ねじやボルト等の固定金具が見えないようにしてデザイン性を高めたいという要望が高まっている。画像表示装置を据付しやすくすることで、メンテナンス性も向上する。ねじやボルト等の固定金具が突出しないような配置とすることで固定金具に手が引っ掛かることもない。【００１１】
しかし、図２２と図２３に示す構造は、コンソールの奥に手を入れなければ固定金具を取り付けることができず、画像表示装置の据付がし難い。また、図２４と図２５に示す構造は、コンソールから固定金具が突き出ており、外観上好ましくない。【００１２】
そこで、本発明の目的は、船舶や航空機等のコンソールに据付しやすく、かつ、ねじやボルト等の固定金具が見えないようにしてデザイン性を高めた構成のコンソール据付用画像表示装置を提供することにある。
【課題を解決するための手段】
【００１３】
本発明のコンソール据付用画像表示装置は、画像表示モジュールと、当該画像表示モジュールの外周位置に配された支持部と、蓋部材を備え、前記支持部には貫通穴が所定間隔で形成されており、装置本体をコンソールの正面側から据え、ねじやボルト等の固定金具を前記貫通穴に挿通させてコンソールに固定し、前記蓋部材を取付ける構成とされ、前記蓋部材によって前記固定金具が覆われるとともに前記蓋部材と装置本体の画像表示面とが境目にて高低差なく配されることを特徴とする。【００１４】
本発明によれば、装置本体をコンソールの正面側から据え、ねじやボルト等の固定金具を前記貫通穴に挿通させてコンソールに固定する構成であるから、画像表示装置を据付しやすい。尚且つ、装置本体に前記蓋部材を取付けると、前記蓋部材によって前記固定金具が覆われるとともに前記蓋部材と装置本体の画像表示面とが境目にて高低差なく配される構成であるから、前記固定金具が見えないようにしつつデザイン性を高めた構成となる。【００１５】
ここで、前記蓋部材と装置本体の画像表示面とが境目にて高低差なく配されるとは、視認できる程度の段差がない状態を指しており、前記蓋部材と装置本体の画像表示面とが滑らかに接続されていればその境目にて高低差なく配されることとなる。そして、前記蓋部材と装置本体の画像表示面とが境目にて高低差なく配されることで、装置正面がフラットになって見える。【００１６】
前記画像表示モジュールは、より具体的には、液晶表示モジュール、有機エレクトロルミネッセンス表示モジュール、プラズマ表示モジュール等が挙げられる。前記画像表示モジュールは、その用途に応じて、そのままの状態で使用される場合があり、保護シートを貼って使用される場合があり、タッチパネル機能を備えている場合があり、画像表示モジュールの表面自体がフラットで透明パネルを兼ねている場合があり、これら機能を複合して備えている場合がある。【００１７】
本発明は、前記画像表示モジュールの表示画面を保護する透明パネルを備え、前記透明パネルに装置本体の画像表示面があることを特徴とする。【００１８】
本発明によれば、透明パネルが前記画像表示モジュールの表示画面を保護する構成であるから、屋外での使用などに際し、信頼性をより高めることができる。【００１９】
前記透明パネルは、前記画像表示モジュールの表示画面を保護するものであり、その形状としては、板状、シート状、フィルム状等が挙げられる。前記透明パネルの材質としては、ガラス又は高分子フィルム若しくはこれらの複合材料等が挙げられる。また、既知のタッチパネルを前記透明パネルとすることができる。【００２０】
前記支持部は、前記画像表示モジュールの外周位置に配されて画像表示装置本体を支持するものであり、その形状としては、溝部、段差のある板状、板状等が挙げられる。前記支持部の材質としては、アルミニウム、鉄、ステンレス等の硬質金属、又は、エポキシ樹脂、ポリアミド樹脂、フェノール樹脂などの強化プラスチックや繊維強化プラスチック（Fiber Reinforced Plastics、FRP）、若しくはこれらの複合材料等が挙げられる。また、画像表示装置本体のフレーム（枠体）やフレームの一部を前記支持部とすることができる。【００２１】
前記蓋部材は前記支持部に取り付けられた固定金具を覆って保護するものであり、その形状としては、長板形状、棒形状、側面視でコの字形状、側面視でＵ字形状等が挙げられる。前記蓋部材の材質としては、アルミニウム、鉄、ステンレス等の硬質金属、又は、エポキシ樹脂、ポリアミド樹脂、フェノール樹脂などの強化プラスチックや繊維強化プラスチック（Fiber Reinforced Plastics、FRP）、若しくはこれらの複合材料等が挙げられる。前記蓋部材は、前記支持部に求められる強度までの強度は必要とされないことから、汎用されている軽量プラスチック素材としてもよい。【００２２】
本発明は、前記透明パネルを囲む枠体を備え、前記枠体によって構成された溝部に前記蓋部材が着脱自在に嵌め合わされることを特徴とする。【００２３】
本発明によれば、前記透明パネルを囲む枠体を備え尚且つ前記枠体によって構成された溝部に前記蓋部材が着脱自在に嵌め合わされる構成であるから、堅牢な構成となり、また、前記蓋部材を取り外すことでねじやボルト等の固定金具が露出するので、シンプルでメンテナンスが容易な構成となる。前記溝部は、前記枠体と前記支持部と前記透明パネルとで溝部となっていてもよいし、前記枠体と前記支持部とで溝部となっていてもよいし、前記枠体に溝部が形成されていてもよい。また、前記枠体に溝部と支持部が形成されていてもよい。【００２４】
本発明は、前記蓋部材が装置本体の画像表示面の両側に平行配置されることを特徴とする。本発明は、前記透明パネルを挟んで前記蓋部材が平行配置されることを特徴とする。【００２５】
本発明によれば、ねじやボルト等の固定金具のカバーを示す平行なラインが入っていることが容易に視認でき、デザイン性を高めた構成となる。【００２６】
本発明は、前記蓋部材が装置本体の画像表示面に対してフラットとなるように配されることを特徴とする。本発明は、前記蓋部材を取付けると前記透明パネルと前記蓋部材とがフラットになることを特徴とする。【００２７】
本発明によれば、装置の正面がフラットになるか又は装置の正面全体がフラットになって見えるので、よりデザイン性を高めた構成となる。【００２８】
本発明は、前記透明パネルが光学透明接着剤を介して前記画像表示モジュールの表示画面に接着されていることを特徴とする。【００２９】
本発明によれば、前記光学透明接着剤を介して前記透明パネルと前記画像表示モジュールの表示画面とが接着され一体化されて、堅牢かつ視認性の良い画像表示装置となる。【００３０】
つまり、前記光学透明接着剤によって前記透明パネルと前記画像表示モジュールの表示画面との間の空気層をなくすことで、外光反射による視認性低下や異物の混入、結露などを解消しつつ、接着し一体化することで、屋外での使用に耐える堅牢な構成としている。【００３１】
前記光学透明接着剤としては、例えばアクリル系接着剤やエポキシ系接着剤などが挙げられる。空気層ができないように接着するためには、光硬化型接着剤や紫外線硬化型接着剤を用いることが好ましい。【００３２】
前記透明パネルの材質としては、無機ガラス又はアクリル樹脂が好ましい。前記光学透明接着剤を介して前記画像表示モジュールの表示画面との高い接着力が得られ、また高い防水性能が得られるからである。【００３３】
本発明は、前記支持部の底面に所定間隔で突起が形成されており且つこれら突起に前記蓋部材の背面が当接する構成、又は前記蓋部材の背面が前記支持部の底面に当接する構成であることを特徴とする。【００３４】
前記画像表示装置をコンソールに据付した後、コンソールに手をのせる等して前記蓋部材に加重がかかることがある。本発明によれば、前記蓋部材に加重がかかっても撓まない堅牢な構造となる。【００３５】
マルチファンクションディスプレイに対応させるためには、前記表示画面のサイズは、例えば１０インチ以上であり、好ましくは１８インチ以上であり、より好ましくは２１インチ以上である。前記表示画面のサイズの上限は特に決まっていないが、使い勝手や信頼性等を考慮すると、例えば１００インチ以下であり、好ましくは５０インチ以下である。コンソール据付用画像表示装置としては、前記表示画面には、例えば、チャートレーダー、電子海図表示装置(Electronic Chart Display and Information System ; ECDIS)、コニングディスプレイ（集中監視表示装置）、アラートマネジメントシステム、その他操作画面表示等の機能が備わっていることが好ましい。【００３６】
本発明は、前記蓋部材には複数の突出片が配されているとともに、前記支持部には前記蓋部材の突出片を狭持する狭持金具が所定間隔で配されており、これら狭持金具に前記蓋部材の突出片が狭持されることを特徴とする。【００３７】
本発明によれば、前記画像表示装置を大きなサイズとした場合においても、前記蓋部材が容易に着脱可能であり、設置やメンテナンスが容易となる。【００３８】
本発明は、前記透明パネルの材質が無機ガラスであり、装置の正面全体がフラットになっていることが好ましい。【００３９】
無機ガラスは、アクリル等の有機ガラスと比較して、さらに耐候性に優れている。尚且つ、装置の正面全体がフラットになっていることで、デザイン性を高めた構成となる。【００４０】
例えば、前記透明パネルを無機ガラス製として、前記表示画面の外周に枠状のパッキンを敷くなどして前記透明パネルを前記表示画面に貼り合わせることで、防水性を高めた画像表示装置となる。前記パッキンを内側と外側の二重構造とすることで、さらに防水性を高めることができる。【００４１】
例えば、前記支持部には操作ボタンが配されているとともに、この操作ボタンを露出させるガイド穴が前記蓋部材に形成されており、前記操作ボタンを除き、装置の正面全体がフラットになっている構成としてよい。前記操作ボタンとしては、明度（ブライトネス）、対照（コントラスト）、条件設定（モード）、メニュー、その他の操作をするものであり、操作ボタンと機能は一対一で対応していてもよいし、ソフトウエアによって設定変更できるようにしてもよい。前記操作ボタンは、前記ガイド穴から突き出ていてもよいし、前記ガイド穴と同じ高さ位置としてもよいし、前記ガイド穴よりも引っ込んでいる位置としてもよい。前記操作ボタンの形状としては、円柱状、四角柱状、三角柱状、半球状、ドーム形状等既知のボタン形状とすることができる。【００４２】
前記コンソールとしては、船舶、航空機、現金自動預け払い機（Automated Teller Machine; ATM）、据付型カード読取装置等が挙げられる。【００４３】
本発明は、船舶又は航空機のコンソールに据付されることを特徴とする。【００４４】
本発明によれば、画像表示装置を据付しやすく、かつ、ねじやボルト等の固定金具が見えないようにしてデザイン性を高めた構成の船舶又は航空機のコンソールとなる。
【考案の効果】
【００４５】
本発明によれば、装置本体をコンソールの正面側から据えて、ねじやボルト等の固定金具によってコンソールに固定する構成であるから、据付が容易である。尚且つ、前記蓋部材を取付けると、前記固定金具が覆われるとともに前記蓋部材と装置本体の画像表示面とが境目にて高低差なく配される構成であるから、前記固定金具が見えないようにしつつデザイン性を高めた構成となる。【００４６】
本発明によれば、前記蓋部材を取り外すことでねじやボルト等の固定金具が露出し、シンプルでメンテナンスが容易な構成となる。そして、装置の正面がフラットに見えるとともに、ねじやボルト等の固定金具のカバーを示す平行なラインが入っていることが容易に視認でき、デザイン性を高めた構成となる。【００４７】
本発明によれば、グラスボンディング技術によって透明パネルを接着することで、視認性を良くしつつ屋外での使用に耐える防水性能と防塵性能を有する。そして、前記蓋部材に加重がかかっても撓まない堅牢な構造となっている。【００４８】
本発明によれば、画像表示装置を据付しやすく、かつ、ねじやボルト等の固定金具が見えないようにしてデザイン性を高めた構成の船舶又は航空機のコンソールとなる。
【図面の簡単な説明】
【００４９】
【図１】本発明の第１の実施形態の画像表示装置を例示する斜視図である。
【図２】上記実施形態の画像表示装置を示す正面図である。
【図３】上記実施形態の画像表示装置を示す背面図である。
【図４】上記実施形態の画像表示装置を示す平面図である。
【図５】上記実施形態の画像表示装置を示す右側面図である。
【図６】上記実施形態の画像表示装置を示す底面図である。
【図７】上記実施形態の画像表示装置を蓋部材を取り外して示す分解斜視図である。
【図８】上記分解斜視図を右下部分を拡大して示す部分拡大図である。
【図９】上記実施形態の画像表示装置のＡ−Ａ線断面を示す要部断面図である。
【図１０】上記実施形態の画像表示装置が据付けられたコンソールを例示する斜視図である。
【図１１】上記実施形態のコンソールのＣ−Ｃ線断面を示す要部断面図である。
【図１２】本発明の第２の実施形態の画像表示装置を例示する斜視図である。
【図１３】上記実施形態の画像表示装置を示す正面図である。
【図１４】上記実施形態の画像表示装置を示す背面図である。
【図１５】上記実施形態の画像表示装置を示す平面図である。
【図１６】上記実施形態の画像表示装置を示す右側面図である。
【図１７】上記実施形態の画像表示装置を示す底面図である。
【図１８】上記実施形態の画像表示装置を蓋部材を取り外して示す分解斜視図である。
【図１９】上記実施形態の画像表示装置が据付けられたコンソールを例示する斜視図である。
【図２０】上記実施形態のコンソールのＣ−Ｃ線断面を示す要部断面図である。
【図２１】本発明のその他の実施形態の画像表示装置を例示する斜視図である。
【図２２】従来の画像表示装置が据付けられたコンソールを例示する斜視図である。
【図２３】上記従来のコンソールのＣ−Ｃ線断面を示す要部断面図である。
【図２４】従来の画像表示装置が据付けられたコンソールの他の例を示す斜視図である。
【図２５】上記従来のコンソールのＣ−Ｃ線断面を示す要部断面図である。
【考案を実施するための形態】
【００５０】
以下、本発明を実施するための具体的な形態について図面を用いて説明する。
【００５１】
（第１の実施形態）
図１は、本発明を適用した第１の実施形態の画像表示装置１を例示する斜視図である。本実施形態の画像表示装置１は、その正面が四角形状の箱型となっており、電子回路及びソフトウエアが内蔵された筐体９と、筐体９の前面側に配された枠体２と、枠体２の内側に位置する表示モジュール３と、表示モジュール３の表示画面３１を保護する透明パネル４と、２つの長板状の蓋部材５０（５１，５２）とから構成される（図１）。画像表示装置１は、透明パネル４の上下方向の外周位置に所定形状の支持部２０が形成されており、蓋部材５１，５２が支持部２０に嵌め込まれて取り付けられている（図１）。
【００５２】
図１に示す例では、画像表示装置１の正面右下には、３つの操作ボタン６１が配されている。画像表示装置１は、液晶画像表示装置である。液晶画像表示装置に係る、電子回路及びソフトウエアは既知の技術が用いられており、本発明の技術的特徴を構成していないことからその説明を省略する。透明パネル４は、ガラス板である。例えば、タッチ入力する用途の場合は、透明パネル４の上にタッチパネルが積層されている。また例えば、既知のタッチパネルを前記透明パネル４とすることができる。
【００５３】
図２は、本実施形態の画像表示装置１の正面図である。図３は、画像表示装置１の背面図である。図４は、画像表示装置１の平面図である。図５は、画像表示装置１の右側面図である。図６は、画像表示装置１の底面図である。図７は、本実施形態の画像表示装置１を蓋部材５１，５２を取り外して示す分解斜視図である。図８は、図７における右下部分を拡大して示す部分拡大図である。
【００５４】
画像表示装置１の枠体２は長方形状を呈し、透明パネル４の外周に鍔状に形成されており、筐体９を支持固定するため、筐体９と一体的に設けられている（図１〜図８）。枠体２の支持部２０には貫通穴２２が所定間隔で形成されている。貫通穴２２のサイズと配置数は、任意である。図３に示す例では、画像表示装置１の上の支持部２０と下の支持部２０とにそれぞれ５つの貫通穴２２が形成されている。液晶画像表示装置１の形状及び重量が大きくなるに伴い、貫通穴２２のサイズを大きくしてその配置数を増やすことで、装置本体をコンソールに安定かつ確実に固定することが容易となる。
【００５５】
画像表示装置１の蓋部材５０は長板形状を呈し、その背面側の上側には板状の突出片５０１が配されており、その背面側の下側には板状の突出片５０２が配されている（図８）。枠体２には、支持部２０と溝部２１が一体的に形成されている。支持部２０には蓋部材５０の突出片５０１と５０２をそれぞれ狭持する狭持金具２６が所定間隔で配されており、蓋部材５０と狭持金具２６とが着脱可能に嵌合する構成となっている（図１、図７、図８）。
【００５６】
画像表示装置１の装置本体をコンソールの正面側から据えて、ねじやボルト等の固定金具を前記貫通穴２２に挿通させて装置本体をコンソールに固定するに際し、補強のため、枠体２の支持部２０には金具２７が所定間隔で形成されている。金具２７は四角形状で、枠体２０の内側面と透明パネル４の外側面とで溝部２１となっている箇所に合うように嵌め込んで固定してある。四角形状の金具２７の中央には貫通穴２２が形成されており、その外側の段差部分は、ねじやボルト等の固定金具の頭部が入る大きさの円形状の窪み２３となっている。
【００５７】
前記狭持金具２６は、その上下位置がそれぞれＵ字形状に曲げられて板バネ２６２が形成されており、狭持金具２６の板バネ２６２と枠体２の内側面とで蓋部材５０の突出片５０２を狭持するとともに、狭持金具２６の板バネ２６１と透明パネル４の外側面とで蓋部材５０の突出片５０１を狭持する（図８を参照）。狭持金具２６は、その底部に形成された貫通穴が円柱状の突起２４に挿通されて支持部２０に固定されている（図８）。本実施形態によれば、板バネ２６２が蓋部材５０を挟持する構造になっているため、蓋部材５０が容易に着脱可能であり、設置やメンテナンスが容易である。
【００５８】
図８に示す例では、前記支持部２０の底面には、所定間隔で突起２４と突起２５が形成されており、これら突起２４，２５に前記蓋部材５０の背面が当接する構成となっている。本実施形態によれば、前記蓋部材５０に加重がかかっても撓まない堅牢な構造となる。なお、ここで、突起２５の裏面側には、筐体９を支持部２０にねじ固定する際に、当該ねじを受けるねじ穴が形成されており、筐体９が支持部２０にねじ固定されている。
【００５９】
前記枠体２は、透明パネル４の外周位置に配されており、枠体２の支持部２０によって画像表示装置１の本体が支持されている。枠体２の材質としては、アルミニウム、鉄、ステンレス等の硬質金属、又は、エポキシ樹脂、ポリアミド樹脂、フェノール樹脂などの強化プラスチックや繊維強化プラスチック（Fiber Reinforced Plastics、FRP）、若しくはこれらの複合材料等が挙げられる。
【００６０】
前記蓋部材５０は、支持部２０に取り付けられた前記固定金具を覆って保護するものであり、その材質としては、アルミニウム、鉄、ステンレス等の硬質金属、又は、エポキシ樹脂、ポリアミド樹脂、フェノール樹脂などの強化プラスチックや繊維強化プラスチック（Fiber Reinforced Plastics、FRP）、若しくはこれらの複合材料等が挙げられる。前記蓋部材５０は、枠体２に求められる強度までの強度は必要とされないことから、汎用されている軽量プラスチック素材としてもよい。
【００６１】
前記透明パネル４は、表示モジュール３の表示画面３１を保護するものであり、その材質としては、ガラス又は高分子フィルム若しくはこれらの複合材料等が挙げられる。本実施形態では、防水性能や防塵性能などの耐候性能をより一層高める観点から無機ガラス製の透明パネル４としている。
【００６２】
図９は、本実施形態の画像表示装置１における、透明パネル４と表示画面３１との関係を示す要部断面図である。図９は図２のＡ−Ａ線断面図となっている。本実施形態では、光学透明接着剤４２を介して無機ガラス製の透明パネル４が液晶表示モジュール３の表示画面３１に接着されている。透明パネル４の前面４１が、装置本体の画像表示面４１となる。
【００６３】
前記光学透明接着剤４２は、アクリル系接着剤であり、紫外線硬化型接着剤となっている。本実施形態によれば、光学透明接着剤４２を介して透明パネル４と画像表示モジュール３０の表示画面３１とが接着され一体化されて、堅牢かつ視認性の良い画像表示装置１となる。前記光学透明接着剤４２は、透明パネル４と画像表示モジュール３０の表示画面３１との間の空気層をなくすことで、外光反射による視認性低下や異物の混入、結露などを解消しつつ、接着し一体化することで、屋外での使用に耐える堅牢な構成としている。前記光学透明接着剤４２は上述の例に限ったものではなく、エポキシ系接着剤としてもよいし、光硬化型接着剤としてもよいし、熱硬化型接着剤とすることも可能である。前記光学透明接着剤４２は、その用途を満たしたものを適宜選択すればよい。
【００６４】
前記支持部２０には操作ボタン６１が配されているとともに、この操作ボタン６１を露出させるガイド穴６２が前記蓋部材５２に形成されており、操作ボタン６１を除き、装置１の正面全体がフラットになっている（図１〜図６）。前記操作ボタン６１としては、明度（ブライトネス）、対照（コントラスト）、条件設定（モード）、メニュー、その他の操作をするものであり、操作ボタン６１と機能は一対一で対応していてもよいし、ソフトウエアによって設定変更できるようにしてもよい。前記操作ボタン６１は、前記ガイド穴６２から突き出ている構成に限定されず、前記ガイド穴６２と同じ高さ位置としてもよいし、ガイド穴６２よりも引っ込んでいる位置としてもよい。前記操作ボタン６１の形状としては円柱状に限定されず、四角柱状、三角柱状、半球状、ドーム形状等既知のボタン形状とすることができる。
【００６５】
図１０は、本実施形態の画像表示装置１が据付けられたコンソール１０を例示する斜視図である。図１１は、図１０のＣ−Ｃ線断面図となっている。ここで、コンソールとは、操作盤、制御卓、キャビネット等とも呼称され、船舶や航空機等の航行の際に使用するレーダ情報、位置情報等を表示するものである。コンソール１０は、マルチファンクションディスプレイ対応となっており、例えば、チャートレーダー、電子海図表示装置(Electronic Chart Display and Information System ; ECDIS)、コニングディスプレイ（集中監視表示装置）、アラートマネジメントシステム、その他操作画面表示等の機能が備わっている。ここでは、船舶用コンソール１０を例示している。
【００６６】
マルチファンクションディスプレイに対応させるために、画像表示装置１の表示画面３は、１８インチ以上であり、例えば、２１インチ以上５０インチ以下である。コンソール据付用画像表示装置１としては、表示画面３には、例えば、チャートレーダー、電子海図表示装置(Electronic Chart Display and Information System ; ECDIS)、コニングディスプレイ（集中監視表示装置）、アラートマネジメントシステム、その他操作画面表示等の機能が備わっている。
【００６７】
本実施形態のコンソール据付用画像表示装置１は、装置本体をコンソールの正面側から据えて、ねじやボルト等の固定金具を、支持部２０に形成された貫通穴２２に挿通させて装置本体をコンソールに固定する構成とされ、前記蓋部材５０を支持部２０に取付けると、蓋部材５０によって前記固定金具が覆われるとともに透明パネル４と蓋部材５０とが同一の高さになる構成である（図１〜図１１）。
つまり、前記蓋部材５０が装置本体の画像表示面４１（透明パネル４の前面４１）に対してフラットとなるように配される（図２及び図９）。
【００６８】
本実施形態の画像表示装置１を船舶用指示機１０に据付ける方法は、筐体１１の正面側に開けられている窓部の枠部分にゴム製パッキン２０６を敷いてから画像表示装置１を据える。そして、ワッシャ付きの固定ねじ２０８を画像表示装置１の貫通穴２２に通して、筐体１１の正面側に形成されたねじ穴に取付けて締め付け固定する。次に、前記蓋部材５０を支持部２０に取り付ける。この据付方法は、船舶用指示機１０の正面側でねじ固定するため、固定ねじ２０８の取り付けが容易となる。そして、固定ねじ２０８が画像表示装置１に内蔵される構成となる。固定ねじ２０８は、固定ボルトを用いても支障ない。
【００６９】
本実施形態によれば、画像表示装置１の本体をコンソール１０の正面側から据えて、ねじやボルト等の固定金具２０８を支持部２０の貫通穴２２に挿通させて画像表示装置１の本体をコンソール１０に固定する構成であるから、画像表示装置１を据付しやすい。尚且つ、前記蓋部材５０を支持部２０に取付けると、蓋部材５０によって固定金具２０８が覆われるとともに透明パネル４と蓋部材５０とが同一の高さになる構成であるから、ねじやボルト等の固定金具２０８が見えないようにしてデザイン性を高めた構成となる（図１０、図１１）。
【００７０】
本実施形態では、前記蓋部材５０（５１，５２）が支持部２０に着脱自在に取り付けられる構成となっているので、蓋部材５０を取り外すことでねじやボルト等の固定金具２０８が露出し、メンテナンスが容易な構成となる。そして、前記透明パネル４を挟んで上下の位置に蓋部材５１と５２とが平行配置されていることで、ねじやボルト等の固定金具２０８のカバーを示す平行なラインが入っていることが容易に視認でき、デザイン性を高めた構成となる（図１、図２、図１０）。
【００７１】
本実施形態では、前記透明パネル４が無機ガラス製であり、装置１の正面全体がフラットになっているので、表示画面３を衝撃や水や汚れの付着から保護しつつ、画像表示装置１を補強することができ、尚且つ、デザイン性を高めた構成となる（図１、図２、図１０）。例えば、前記表示画面３の外周に枠状のパッキンを敷くなどしてからガラス製の透明パネル４を表示画面３に貼り合わせることで、防水性を高めた画像表示装置１となる。前記パッキンを内側と外側の二重構造とすることで、さらに防水性を高めることができる。本実施形態によれば、画像表示装置１を据付しやすく、かつ、ねじやボルト等の固定金具２０８が見えないようにしてデザイン性を高めた構成の船舶又は航空機のコンソール１０となる。
【００７２】
（第２の実施形態）
図１２は、本発明を適用した第２の実施形態の画像表示装置１を例示する斜視図である。図１３は、本実施形態の画像表示装置１の正面図である。図１４は、画像表示装置１の背面図である。図１５は、画像表示装置１の平面図である。図１６は、画像表示装置１の右側面図である。図６１は、画像表示装置１の底面図である。図１８は、本実施形態の画像表示装置１を蓋部材５１，５２を取り外して示す分解斜視図である。ここで、同一の符号は同じ機能を表しており、その説明を適宜省略する。
【００７３】
本実施形態の画像表示装置１は、その正面が四角形状の箱型となっており、電子回路及びソフトウエアが内蔵された筐体９と、筐体９の前面側に配された枠体２と、枠体２の内側に位置する表示画面３と、表示画面３を保護する透明パネル４と、２つの長板状の蓋部材５０（５１，５２）とから構成される（図１２）。画像表示装置１は、透明パネル４の左右方向の外周位置に所定形状の支持部２０が形成されており、蓋部材５１，５２が支持部２０に嵌め込まれて取り付けられている（図１２、図１３）。図１２に示す例では、画像表示装置１の正面右下には、３つの操作ボタン６１が配されている。画像表示装置１は、液晶画像表示装置である。透明パネル４は、無機ガラス製の板である。
【００７４】
画像表示装置１の枠体２は長方形状を呈し、透明パネル４の外周に鍔状に形成されており、筐体９を支持固定するため、筐体９と一体的に設けられている（図１２〜図１８）。枠体２の支持部２０には貫通穴２２が所定間隔で形成されている。貫通穴２２のサイズと配置数は、任意である。図１８に示す例では、画像表示装置１の左の支持部２０と右の支持部２０とにそれぞれ４つの貫通穴２２が形成されている。液晶画像表示装置１の形状及び重量が大きくなるに伴い、貫通穴２２のサイズを大きくしてその配置数を増やすことで、装置本体をコンソールに安定かつ確実に固定することが容易となる。
【００７５】
画像表示装置１の蓋部材５０は長方形の棒形状を呈している（図１８）。枠体２の支持部２０は、枠体２の内側面と透明パネル４の外側面とで溝部２１となっており、当該溝部２１に、棒形状の蓋部材５０が着脱可能に嵌め合わされる構成となっている（図１２、図１８）。
【００７６】
本実施形態では、前記蓋部材５０の背面が前記支持部２０の底面に当接する構成となっている。
【００７７】
本実施形態によれば、蓋部材５０を比較的単純な形状とすることで、部品点数を少なくしてシンプルな構成の画像表示装置１とすることができる。そして、前記蓋部材５０に加重がかかっても撓まない堅牢な構造となる。
【００７８】
図１９は、本実施形態の画像表示装置１が据付けられたコンソール１０を例示する斜視図である。図２０は、図１９に示すコンソール１０のＣ−Ｃ線断面を示す要部断面図である。画像表示装置１の表示画面３は、１８インチ以上であり、例えば、２１インチ以上５０インチ以下である。コンソール据付用画像表示装置１としては、表示画面３には、例えば、チャートレーダー、電子海図表示装置(Electronic Chart Display and Information System ; ECDIS)、コニングディスプレイ（集中監視表示装置）、アラートマネジメントシステム、その他操作画面表示等の機能が備わっている。
【００７９】
本実施形態のコンソール据付用画像表示装置１は、装置本体をコンソールの正面側から据えて、ねじやボルト等の固定金具を、支持部２０に形成された貫通穴２２に挿通させて装置本体をコンソールに固定する構成とされ、前記蓋部材５０を支持部２０に取付けると、蓋部材５０によって前記固定金具が覆われるとともに透明パネル４と蓋部材５０とが同一の高さになる構成となっている（図１２〜図２０）。
【００８０】
本実施形態の画像表示装置１を船舶用指示機１０に据付ける方法は、筐体１１の正面側に開けられている窓部の枠部分にゴム製パッキン２０６を敷いてから画像表示装置１を据える。そして、ワッシャ付きの固定ねじ２０８を画像表示装置１の貫通穴２２に通して、筐体１１の正面側に形成されたねじ穴に取付けて締め付け固定する。次に、前記蓋部材５０を支持部２０に取り付ける。この据付方法は、船舶用指示機１０の正面側でねじ固定するため、固定ねじ２０８の取り付けが容易となる。そして、固定ねじ２０８が画像表示装置１に内蔵される構成となる。固定ねじ２０８は、固定ボルトを用いても支障ない。
【００８１】
本実施形態によれば、画像表示装置１の本体をコンソール１０の正面側から据えて、ねじやボルト等の固定金具２０８を支持部２０の貫通穴２２に挿通させて画像表示装置１の本体をコンソール１０に固定する構成であるから、画像表示装置１を据付しやすい。尚且つ、前記蓋部材５０を支持部２０に取付けると、蓋部材５０によって固定金具２０８が覆われるとともに透明パネル４と蓋部材５０とが同一の高さになる構成であるから、ねじやボルト等の固定金具２０８が見えないようにしてデザイン性を高めた構成となる（図１９、図２０）。
【００８２】
本実施形態では、前記蓋部材５０（５１，５２）が支持部２０に着脱自在に取り付けられる構成となっているので、蓋部材５０を取り外すことでねじやボルト等の固定金具２０８が露出し、メンテナンスが容易な構成となる。そして、前記透明パネル４を挟んで左右の位置に蓋部材５１と５２とが平行配置されていることで、ねじやボルト等の固定金具２０８のカバーを示す平行なラインが表示画面３の左右に違和感なく配されているので、デザイン性を高めた構成となる（図１２、図１３、図１９）。本実施形態によれば、画像表示装置１を据付しやすく、かつ、ねじやボルト等の固定金具２０８が見えないようにしてデザイン性を高めた構成の船舶又は航空機のコンソール１０となる。
【００８３】
（その他の実施形態）
図２１は、本発明を適用したその他の実施形態の画像表示装置１を例示する斜視図である。ここで、同一の符号は同じ機能を表しており、その説明を適宜省略する。
【００８４】
本実施形態の画像表示装置１は、枠体２と、枠体２の内側に位置する表示画面３と、表示画面３を保護する透明パネル４と、枠形状の蓋部材５０とから構成される（図２１）。画像表示装置１は、透明パネル４の上下左右を含む外周位置に所定形状の支持部２０が形成されており、枠形状の蓋部材５０が支持部２０の溝部２１に嵌め込まれて取り付けられている（図２１）。図２１に示す例では、画像表示装置１の操作ボタンは支持部２０に配されており、蓋部材５０を嵌め込むことで前記操作ボタンが隠れる構成となっている。
【００８５】
本実施形態によれば、１つの蓋部材５０とすることで、部品点数を少なくしてシンプルな構成の画像表示装置とすることができる。
【００８６】
以上、本発明は、上述した実施の形態に限定されるものではない。上述の実施形態では、前記透明パネル４を挟んで上下の位置に蓋部材５１と５２とが平行配置されている例と、前記透明パネル４を挟んで左右の位置に蓋部材５１と５２とが平行配置されている例とを示したが、例えば、透明パネル４の上下左右のいずれか１個所に前記蓋部材を配して、透明パネル４を挟んで前記蓋部材と対向する側に蝶番やフック等の係止部材を用いてコンソールに据付け固定する構成とすることも可能である。透明パネル４は、表示画面３１に相対するエリアが透明であればよく、表示画面３１の外周エリアについては不透明であるか着色されていても支障ない。画像表示装置１の用途が屋内用であるなどその用途に応じて、透明パネル４と表示画面３１との接着は省略する場合がある。画像表示装置１は、液晶表示装置に限定されず、有機エレクトロルミネッセンス表示装置やプラズマ表示装置としてもよい。前記コンソールとしては、船舶又は航空機のコンソール２０１，２０２で説明したが、現金自動預け払い機（ATM）や据付型カード読取装置等のコンソールに本発明の画像表示装置１を適用することができる。
【００８７】
上述の実施形態では、前記蓋部材５０（５１，５２）を取付けると前記透明パネル４と蓋部材５０とがフラットになる例で説明したが、前記蓋部材５０によって前記固定金具２０８及び支持部２０が覆われるとともに前記透明パネル４と蓋部材５０とが境目にて高低差なく配される構成となっていればデザイン性を高めた構成となるので、フラットには限定されない。例えば、前記蓋部材５０は、その正面側が平面であるのみならず、凸曲面となっていてもよいし、凹曲面となっていてもよいし、傾斜角度が３０度以内の斜面となっていてもよい。上述の実施形態では、前記枠体２に支持部２０と溝部２１が一体的に形成されている例で説明したが、前記枠体２と支持部２０とが別々の構成部品となっていても支障ない。そして、前記溝部２１は、枠体２と支持部２０と透明パネル４とで溝部２１となっていてもよいし、枠体２と支持部２０とで溝部２１となっていてもよいし、枠体２に溝部２１が形成されていてもよい。このように、本発明は、その趣旨を逸脱しない範囲で適宜変更が可能であることはいうまでもない。
【符号の説明】
【００８８】
１                        本発明の画像表示装置、
２                        枠体、
２０                      支持部、
２１                      溝部、
２２                      貫通穴、
３                        画像表示モジュール、
３１                      画像表示モジュールの表示画面、
４                        透明パネル、
４１                      装置本体の画像表示面（透明パネルの前面）、
４２                      光学透明接着剤、
５０、５１、５２          蓋部材、
９                        筐体（画像表示装置の筐体）、
１０                      本発明に係るコンソール、
１１                      筐体（コンソールの筐体）、
２０８                    ねじやボルト等の固定金具（固定ねじ）
【図１】
0003202904.tif 000003
【図２】
0003202904.tif 000004
【図３】
0003202904.tif 000005
【図４】
0003202904.tif 000006
【図５】
0003202904.tif 000007
【図６】
0003202904.tif 000008
【図７】
0003202904.tif 000009
【図８】
0003202904.tif 000010
【図９】
0003202904.tif 000011
【図１０】
0003202904.tif 000012
【図１１】
0003202904.tif 000013
【図１２】
0003202904.tif 000014
【図１３】
0003202904.tif 000015
【図１４】
0003202904.tif 000016
【図１５】
0003202904.tif 000017
【図１６】
0003202904.tif 000018
【図１７】
0003202904.tif 000019
【図１８】
0003202904.tif 000020
【図１９】
0003202904.tif 000021
【図２０】
0003202904.tif 000022
【図２１】
0003202904.tif 000023
【図２２】
0003202904.tif 000024
【図２３】
0003202904.tif 000025
【図２４】
0003202904.tif 000026
【図２５】
0003202904.tif 000027